(57)【要約】本発明は移動通信ネットワークにおける制御ノードに関係する。制御ノードが有するのは、少なくとも幾つかの現設定接続に関するＩＭＳＩを提供する手段および前記ＩＭＳＩ情報に基づき接続に対してリソースを割り当てる手段である。本発明はまた移動通信ネットワークにおける接続に対するリソース割り当て方法にも関係する。
2011517148.tif 000002
【特許請求の範囲】
【請求項１】
移動通信ネットワーク（１００）の制御ノード（１０２；３０２）であって、
少なくとも幾つかの現に設定された接続に関するＩＭＳＩ情報を提供する手段（３０５、３０６、３０７）と、
前記ＩＭＳＩ情報に基づき前記接続に対してリソースを割り当てる手段（３０６、３０８）と
を有することを特徴とする制御ノード（１０２；３０２）。
【請求項２】
前記制御ノードにより扱うセル内で新規接続を設定する場合、前記ＩＭＳＩ情報を受信することを特徴とする請求項１に記載の制御ノード（１０２；３０２）。
【請求項３】
基地局コントローラ間ハンドオーバに関連する前記ＩＭＳＩ情報を受信することを特徴とする請求項１乃至請求項２の何れか一項に記載の制御ノード（１０２；３０２）。
【請求項４】
前記ＩＭＳＩ情報を要求し、前記要求に応じて前記ＩＭＳＩ情報を受信することを特徴とする請求項２または請求項３に記載の制御ノード。
【請求項５】
回線交換呼のためのＡインタフェースにより前記ＩＭＳＩ情報を要求または受信またはその両方をすることを特徴とする請求項１乃至請求項４の何れか一項に記載の制御ノード。
【請求項６】
共通ＩＤと表す前記Ａインタフェースメッセージに前記ＩＭＳＩ情報を含むことを特徴とする請求項４に記載の制御ノード。
【請求項７】
パケット交換データのためのＧｂインタフェースにより前記ＩＭＳＩ情報を要求または受信またはその両方をすることを特徴とする請求項１乃至請求項４の何れか一項に記載の制御ノード。
【請求項８】
前記ＩＭＳＩ情報のＰＬＭＮ部に基づき前記接続に対してリソースを割り当てることを特徴とする請求項１乃至請求項７の何れか一項に記載の制御ノード。
【請求項９】
前記ＩＭＳＩ情報のＭＮＣ部に基づき前記接続に対してリソースを割り当てることを特徴とする請求項８に記載の制御ノード。
【請求項１０】
前記接続に対するリソース割り当て手段がセル間のハンドオーバの決定手段（３０６、３０８）を含み、前記ハンドオーバの決定が前記ＩＭＳＩに基づくことを特徴とする請求項１乃至請求項９の何れか一項に記載の制御ノード。
【請求項１１】
ハンドオーバが前記制御ノードにより扱うセルの内部であるか、または別の制御ノードにより扱うセルの外部であるかを、前記ハンドオーバの決定手段（３０６、３０８）が判断することを特徴とする請求項１０に記載の制御ノード。
【請求項１２】
前記ＩＭＳＩにより指示するものとは別のホームＰＬＭＮｓに関連するセルへの外部ハンドオーバを、前記ハンドオーバの決定手段（３０６、３０８）が拒否することを特徴とする請求項１１に記載の制御ノード。
【請求項１３】
前記接続に対するリソース割り当て手段が前記セルに関連する方式に従い接続を優先順位付けする優先権処理手段を含むことを特徴とする請求項１乃至請求項１２の何れか一項に記載の制御ノード。
【請求項１４】
前記優先権処理手段が、前記優先順位付け方式に基づき、かつ前記ＩＭＳＩ情報に基づき、非一様ＴＲＸ共有を提供することを特徴とする請求項１３に記載の制御ノード。
【請求項１５】
前記制御ノードがＧＳＭネットワークの基地局コントローラであることを特徴とする請求項１乃至請求項１４の何れか一項に記載の制御ノード。
【請求項１６】
移動通信ネットワーク（１００）の基地局サブシステム（１１０）であって、前記基地局サブシステム（１１０）が制御ノード（１０２；３０２）を含み、
前記制御ノードが少なくとも幾つかの現に設定された接続に関するＩＭＳＩ情報を提供する手段（３０５、３０６、３０７）と、
前記ＩＭＳＩ情報に基づき前記接続に対してリソースを割り当てる手段（３０６、３０８）と
を有することを特徴とする基地局サブシステム（１１０）。
【請求項１７】
制御ノード（１０２；３０２）と交換ノード（１１１）とを含む移動通信ネットワーク（１００）であって、
前記交換ノード（１１１）が少なくとも幾つかの現に設定された回線交換接続に関するＩＭＳＩ情報を前記制御ノードに送信し、
前記制御ノードが前記ＩＭＳＩ情報を受信し、前記ＩＭＳＩ情報に基づき前記回線交換接続に対してリソースを割り当てることを特徴とする移動通信ネットワーク（１００）。
【請求項１８】
新規回線交換接続を設定する場合、前記制御ノード（１１１）が前記ＩＭＳＩ情報を送信することを特徴とする請求項１７に記載の移動通信ネットワーク。
【請求項１９】
前記交換ノード（１１１）が制御ノード間ハンドオーバにおいて前記ＩＭＳＩ情報を送信することを特徴とする請求項１７または請求項１８に記載の移動通信ネットワーク。
【請求項２０】
前記制御ノード（１０２；３０２）が前記ＩＭＳＩ情報を要求し、
前記交換ノード（１１１）が前記要求に応じて前記ＩＭＳＩ情報を送信することを特徴とする請求項１８または請求項１９に記載の移動通信ネットワーク。
【請求項２１】
前記交換ノード（１１１）が前記ＡインタフェースによりＩＭＳＩ情報を送信する、または前記制御ノードが前記Ａインタフェースにより前記ＩＭＳＩ情報を要求する、またはその両方が行われることを特徴とする請求項１７乃至請求項２０の何れか一項に記載の移動通信ネットワーク。
【請求項２２】
前記移動通信ネットワークがＧＳＭネットワークであることを特徴とする請求項１７乃至請求項２１の何れか一項に記載の移動通信ネットワーク。
【請求項２３】
前記移動通信ネットワークが少なくとも１つのサービス提供ＧＰＲＳサポートノード（１９１）を有するＧＰＲＳコアネットワーク（１９０）をさらに含み、
前記少なくとも１つのサービス提供ＧＰＲＳサポートノード（１９１）が少なくとも幾つかの前記現設定パケット交換接続に関するＩＭＳＩ情報を前記制御ノードに送信し、
前記制御ノードが前記ＩＭＳＩ情報を受信し、前記ＩＭＳＩ情報に基づき前記パケット交換接続に対してリソースを割り当てることを特徴とする請求項１７に記載の移動通信ネットワーク。
【請求項２４】
移動通信ネットワークにおける接続に対するリソース割り当て方法であって、
ＩＭＳＩ情報に基づいてセルにおける前記接続に対してリソースを割り当てるステップ（７６４）を有することを特徴とする移動通信ネットワークにおける接続に対するリソース割り当て方法。
【請求項２５】
前記移動通信ネットワークの制御ノードに前記接続に関するＩＭＳＩ情報を提供するステップ（７６２）と、
前記ＩＭＳＩ情報に基づき前記セルにおける前記接続に対してリソースを割り当てるステップとをさらに有することを特徴とする請求項２４に記載のＧＳＭネットワークにおける接続に対するリソース割り当て方法。
【請求項２６】
前記接続に対してリソースを割り当てるステップが、前記ＩＭＳＩに基づくハンドオーバの決定ステップ（９８１、９８２、９８３）を含むことを特徴とする請求項２４または請求項２５に記載の移動通信ネットワークにおける接続に対するリソース割り当て方法。
【請求項２７】
前記ハンドオーバの決定ステップが、
意図するハンドオーバが同じ制御ノードに関連する２つのセル間であるか、または異なる制御ノードに関連する２つのセル間であるかを判断するステップ（９８２）と、
前記受信セルのホームＰＬＭＮが前記ＩＭＳＩ情報により与えられる事業者と異なれば、異なる制御ノードに関連するセル間のハンドオーバを拒否するステップ（９８４）と
を含むことを特徴とする請求項２６に記載の移動通信ネットワークにおける接続に対するリソース割り当て方法。
【請求項２８】
前記接続に対するリソース割り当てステップが所定の優先順位付け方式に従う優先順位付けステップを含むことを特徴とする請求項２４乃至請求項２７の何れか一項に記載の移動通信ネットワークにおける接続に対するリソース割り当て方法。
【請求項２９】
前記接続優先順位付けが、アクセスの可能性、保持の可能性または完全性に基づくことを特徴とする請求項２８に記載の移動通信ネットワークにおける接続に対するリソース割り当て方法。
【発明の詳細な説明】
【技術分野】
【０００１】
本発明は一般に移動通信ネットワークにおけるリソース割り当てに関する。本発明は特に前記移動通信ネットワークの制御ノードの動作に関する。
【背景技術】
【０００２】
ＧＳＭは基地局サブシステム（ＢＳＳ）およびネットワーク並びに交換サブシステム（ＮＳＳ）を含む。ＧＳＭはまたＧＰＲＳコアネットワークのようなその他の部分を含むことができる。基地局サブシステム（ＢＳＳ）が担うのは、移動ユニットとネットワーク交換サブシステム（ＮＳＳ）間のトラフィックおよび信号の処理である。ＢＳＳが実行するのは、例えば通話チャネルの符号変換、移動ユニットへの無線チャネル割り当て、ページング、エアインタフェース（Ｕｍ）を経る移動局との送受信の品質管理である。ネットワーク交換サブシステム（ＮＳＳ）はまたＧＳＭコアネットワークとも称する。ＧＳＭコアネットワークは移動局と公衆交換電話ネットワーク（ＰＳＴＮ）間の交換機能および通信管理を実行する。
【０００３】
ＧＳＭネットワークでは、事業者はＢＳＳ装置を共有することができる。例えば共有事業者間のＰＬＭＮ間ハンドオーバの許容に基づき、事業者はセルのＴＲＸを共有することができる。呼の途中で自身の事業者ＧＳＭコアネットワークに接続したまま、別の事業者に関連するセルに回線交換接続をハンドオーバすることができる。呼の途中で自身の事業者ＧＰＲＳコアネットワークに接続したまま、別の事業者に関連するセルにまたパケット交換接続をハンドオーバすることができる。
【０００４】
米国特許第７２３６７８４号は複数の利用可能ＰＬＭＮからの公衆地上移動ネットワーク（ＰＬＭＮ）の選択に関する。この開示では、無線ネットワークの移動局は複数の利用可能ＰＬＭＮから１つのＰＬＭＮを選択する。
【０００５】
さらにＰＬＭＮ（公衆地上移動ネットワーク）間ハンドオーバは３ＧＰＰでは標準化されていない。とはいえＰＬＭＮハンドオーバはそれでも使用され、幾つかの商用移動電話ネットワークにおいて良好に動作する。
【先行技術文献】
【特許文献】
【０００６】
【特許文献１】米国特許第７２３６７８４号明細書
【発明の概要】
【発明が解決しようとする課題】
【０００７】
本発明の１つの目的は移動通信ネットワークにおけるリソース割り当ての改善である。
【課題を解決するための手段】
【０００８】
これには例えば無線通信ネットワークの基地局コントローラの形式の制御ノードにより対処し、制御ノードが提供するのは、少なくとも幾つかの現に設定された接続に関するＩＭＳＩ情報および前記ＩＭＳＩ情報に基づいて接続に対してリソースを割り当てる手段である。ＩＭＳＩ情報は各接続のホーム事業者に関係する情報を含む。接続はある例では回線交換接続（呼）であり、別の例ではパケット交換接続である。
【０００９】
本発明の１つの利点は、制御ノードにより扱う各接続（コネクション）のホーム事業者に関する知見を得るようにＩＭＳＩ情報を使用することによって、接続に対するリソースの割り当てにおいて制御ノードが改善された決定を行うことができることである。この知見は例えば接続間の優先順位付けまたはセル間のハンドオーバの決定に使用することができる。
【００１０】
前記制御ノードにより扱うセルにおける接続設定要求に関連して、制御ノードが前記ＩＭＳＩ情報を使用すれば、セルにおける前記接続に対するリソースの割り当ては優先順位付け方式に基づき決定することができる。優先順位付け方式は例えばパラメータであるアクセスの可能性、保持の可能性または完全性若しくは前記パラメータの組み合わせに基づく。ＩＭＳＩ情報を使用する優先順位付けおよび優先順位付け方式は非一様ＴＲＸ共有を可能にする。
【００１１】
ある実施形態ではおそらく他制御ノードにより扱うセルへのハンドオーバの決定において、制御ノードは前記ＩＭＳＩ情報を使用する。そのセルのホーム事業者がＩＭＳＩ情報により指示する接続のホーム事業者とは別のホーム事業者であれば、他制御ノードにより扱うセルへのハンドオーバを拒否することができる。
【００１２】
ある実施形態で制御ノードにより扱うセルの１つに接続（新規接続または別の制御ノードからのハンドオーバ接続）が到来すれば何時でも、制御ノードはＩＭＳＩ情報を要求し、前記要求に応じて前記ＩＭＳＩ情報を受信する。接続を維持し、制御ノードによりサービスを提供するセルに接続が関連する間は少なくとも、一例では制御ノードは前記ＩＭＳＩ情報を蓄積する。例えば基地局コントローラの形式の制御ノードは一例ではＡインタフェースにより前記ＩＭＳＩ情報を要求または受信またはその両方をする。ＩＭＳＩ情報は例えば共通ＩＤと表すＡインタフェースメッセージに含む。別の例では、例えば基地局コントローラの形式の制御ノードはＧｂインタフェースにより前記ＩＭＳＩ情報を要求または受信またはその両方をする。
【００１３】
ＩＭＳＩが属する加入者のホーム事業者に関係するＩＭＳＩ情報はＩＭＳＩのＰＬＭＮまたはＭＮＣ部に含む。
【００１４】
移動通信ネットワークは例えばＧＳＭネットワークである。
【００１５】
本発明はまた移動通信ネットワークの基地局サブシステムにも関係する。基地局サブシステムは上記による制御ノードを含む。
【００１６】
本発明はまた制御ノードおよび交換ノードを含む移動通信ネットワークにも関係する。交換ノードは例えばＧＳＭネットワークの移動サービス交換センタである。交換ノードは回線交換接続の制御ノードにＩＭＳＩ情報を提供する。制御ノードに関連するおよび／または制御ノード間ハンドオーバと関連するセル内で新規回線交換接続を設定する場合、交換ノードは一例では前記ＩＭＳＩ情報を送信する。
【００１７】
移動通信ネットワークは一例ではまた少なくとも１つのサービス提供ＧＰＲＳサポートノード（ＳＧＳＮe）を有するＧＰＲＳコアネットワークを含む。ＳＧＳＮはパケット交換接続の制御ノードにＩＭＳＩ情報を提供する。制御ノードに関連する、または制御ノード間ハンドオーバと関連する、またはその両方に関連するセル内で新規パケット接続を設定する場合、ＳＧＳＮは一例では前記ＩＭＳＩ情報を送信する。
【００１８】
本発明はまた移動通信ネットワークの接続に対するリソース割り当て方法に関係し、ＩＭＳＩ情報に基づきセルにおける接続にリソースを割り当てる。
【００１９】
ある実施形態で移動通信ネットワークの接続に対するリソース割り当て方法が含むのは、移動通信ネットワークの制御ノードにおける接続の加入者に関係するＩＭＳＩ情報の提供ステップおよび前記ＩＭＳＩ情報に基づくセルにおける接続に対するリソース割り当てステップである。
【図面の簡単な説明】
【００２０】
【図１】図１はＧＳＭネットワークの例を概略示すブロック略図である。
【図２】図２は図１のＧＳＭにおける無線基地局の例を概略示すブロック略図である。
【図３】図３は図１のＧＳＭにおける基地局コントローラの例を概略示すブロック略図である。
【図４】図４はＩＭＳＩの内容を示す。
【図５】図５は基地局コントローラにおける呼分布テーブルの例を示す。
【図６】図６は図５の呼分布テーブルのセル間地理関係を示す。
【図７】図７はＧＳＭネットワークのセルにおける呼設定要求の処理方法例を概略示すフローチャートである。
【図８】図８は呼終了処理を示すフローチャートである。
【図９】図９はＧＳＭネットワークにおけるハンドオーバ要求処理方法の一例を概略示すフローチャートである。
【発明を実施するための形態】
【００２１】
図１で、ＧＳＭネットワーク１００は基地局サブシステム（ＢＳＳ）１１０およびネットワーク並びに交換サブシステム（ＮＳＳ）１２０を含む。図示する例で、ＧＳＭネットワーク１００はまたＧＰＲＳコアネットワーク１９０をも含む。基地局サブシステム（ＢＳＳ）１１０は移動ユニット１３０ａ、１３０ｂとネットワーク交換サブシステム（ＮＳＳ）１２０間のトラフィックおよび信号の処理を担う。図示する例で、基地局サブシステム１１０はまた移動ユニット１３０ａ、１３０ｂとＧＰＲＳコアネットワーク１９０間のトラフィックおよび信号の処理を担う。ＢＳＳ１１０が実行するのは、例えば通話チャネルの符号変換、移動ユニットへの無線チャネル割り当て、ページング、エアインタフェース（Ｕｍ）を経た移動ユニット１３０ａ、１３０ｂとの送受信の品質管理である。ネットワーク交換サブシステム（ＮＳＳ）１２０はまたＧＳＭコアネットワークとも称する。ＧＳＭコアネットワークが実行するのは、移動局と（図示しない）公衆交換電話ネットワーク（ＰＳＴＮ）間の交換機能および通信管理である。ＮＳＳ１２０はＧＳＭネットワークの事業者により配備する。
【００２２】
提示する図で、基地局サブシステム１１０は無線基地局（ＲＢＳ）１０１ａ、１０１ｂ、１０１ｃのセットおよび基地局コントローラ（ＢＳＣ）１０２を含む。セットは例えば１０乃至１００のＲＢＳを含む。実際には、基地局サブシステム（ＢＳＳ）１１０は複数の基地局コントローラ（ＢＳＣｓ）１０２を含み、それぞれはＲＢＳｓのセットにサービスを提供する。ＮＳＳ１２０は訪問者位置レジスタ（ＶＬＲ）１１２に接続する移動サービス交換センタ（ＭＳＣ）１１１を含む。ＭＳＣ／ＶＬＲ１１１、１１２はホーム位置レジスタ（ＨＬＲ）１１３に接続する。ＭＳＣ１１１は基地局サブシステム１１０のＢＳＣ１０２に接続する。接続はＧＳＭ表記法ではＡインタフェースと表す。
【００２３】
図示する例で、ＧＰＲＳコアネットワーク１９０はサービス提供ＧＰＲＳサポートノード（ＳＧＳＮ）１９１を含む。実際には、ＧＰＲＳコアネットワークは通常複数のサービス提供ＧＰＲＳサポートノード（ＳＧＳＮｓ）１９１を含み、ＳＧＳＮｓ１９１はＧＰＲＳコアネットワークの残部に接続する。図示例のＳＧＳＮ１９１は基地局サブシステム１１０のＢＳＣ１０２に接続する。接続はＧＳＭ表記法ではＧｂと表す。
【００２４】
図２で、無線基地局２０１は無線基地局装置（ＢＴＳ）２０３を含む。無線基地局装置２０３と基地局コントローラ（ＢＳＣ）間のインタフェースはＡｂｉｓと称す。ＢＴＳ２０３はＵＬトラフィックチャネル（ＴＣＨ）（通常は図１のＵｍ）の信号強度および伝送品質を測定することができる。ＢＴＳは複数の移動局のそれぞれから測定報告を受信することができる。ＢＴＳは測定報告情報を（ＲＢＳ経由で）ＢＳＣに伝達する。
【００２５】
ＢＴＳ２０３は１つまたは複数の送受信機（ＴＲＸｓ）２０４ａ、２０４ｂ、２０４ｃを含む。各送受信機（ＴＲＸ）２０４ａ、２０４ｂ、２０４ｃはＧＳＭ標準に従い送受信する。今日、ＧＳＭ標準は無線周波数当たり８つのＴＤＭＡタイムスロットを規定する。複数の送受信機（ＴＲＸｓ）２０４ａ、２０４ｂ、２０４ｃの使用では、無線基地局（ＲＢＳ）は無線基地局（ＲＢＳ）によりサービスを提供するセル内に複数の周波数および複数のセクタを供給する。
【００２６】
事業者はＢＴＳ２０３のＴＲＸｓを含むＢＳＳ装置を共有することができる。
【００２７】
図３で、ＧＳＭネットワークの基地局コントローラ３０２は少なくとも幾つかの現に設定された接続に関する国際移動加入者ＩＤｓ（ＩＭＳＩ）を蓄積するメモリ３０５を含む。接続は例えば回線交換接続またはパケット交換接続またはその両方を含む。一例で、回線交換呼のＩＭＳＩは移動サービス交換センタ（ＭＳＣ）１１１から提供する。ＢＳＣ３０２はこの例で送信機／受信機３０７によりＡインタフェースを経て前記ＩＭＳＩ情報を受信する。受信ＩＭＳＩ情報は次いでメモリ３０５に蓄積する。パケット交換データのＩＭＳＩはＧＰＲＳコアネットワーク１９０から提供される。ＢＳＣ３０２はこの例で送信機／受信機３０７によりＧｂインタフェースを経て前記ＩＭＳＩ情報を受信する。ＢＳＣ３０２が含むのは、ＩＭＳＩ情報を使用して接続に対してリソースを割り当てることができるかを判断する制御ユニット３０６である。一例で、制御ユニット３０６が要求するのは、ＢＳＣ３０２に関連する、または基地局コントローラ間ハンドオーバ（即ち別のＢＳＣからの接続のハンドオーバ）と関連する、またはその両方に関連するセル内の新規接続の設定と関連するＩＭＳＩ情報である。要求は送信機／受信機３０７により送信する。ＩＭＳＩ情報を次いで前記要求に応じて受信する。一例で、ＭＳＣ１１１から受信するＩＭＳＩ情報は共通ＩＤと表すＡインタフェースメッセージに含む。
【００２８】
制御ユニット３０６はＢＳＣによりサービスを提供する全加入者のＩＭＳＩのメモリ３０５への蓄積を制御する。目的はＢＳＣ３０２によりサービスを提供する全加入者リストの提供であり、前記リストは各加入者のホーム事業者に関係する情報を含む。一例で、制御ユニットはＢＳＣにより最早扱わない移動ユニットのＩＭＳＩｓのメモリ３０５からの除去を制御する。詳細には、制御ユニット３０６は設定する各接続に関するＩＭＳＩを提供する。接続設定は本明細書では新規接続設定および他ＢＳＣからのハンドオーバ接続設定に関連する。新規接続設定の場合、移動ユニット１３０ａ、１３０ｂは接続要求を送信する。接続要求は基地局コントローラ１０２に転送する。本明細書で説明する例でそのような要求を受信すると、制御ユニット３０６はＩＭＳＩを要求し、ＩＭＳＩをメモリ３０５に蓄積する。要求接続が回線交換接続である一例では、制御ユニット３０６は移動サービス交換センタ（ＭＳＣ）からＩＭＳＩを要求する。接続がパケット交換接続である代替例では、制御ユニット３０６はＳＧＳＮ１９１からＩＭＳＩを要求する。さらに呼を別のＢＳＣからハンドオーバすることをＮＳＳ１２０によりＢＳＣ１０２に通報する場合、制御ユニット３０６はその接続に関連する移動サービス交換センタ（ＭＳＣ）またはＧＰＲＳコアネットワークからＩＭＳＩを要求し、ＩＭＳＩをメモリ３０５に蓄積する。
【００２９】
（図示しない）代替例で接続設定（即ち新規接続設定または別のＢＳＣからのハンドオーバ接続設定またはその両方）を検出すると何時でも、移動サービス交換センタ（ＭＳＣ）またはＧＰＲＳコアネットワークまたはその両方は担当基地局コントローラ（ＢＳＣ）にＩＭＳＩを送信する。この例によれば、ＩＭＳＩを要求するＢＳＣの本明細書で説明する手順は冗長である。
【００３０】
図５に関して説明するように、制御ユニット３０６が判断するのは、メモリ３０５の前記ＩＭＳＩ情報に基づき、かつリソース割り当て情報ユニット３０８の情報に基づき、接続に対してリソースを割り当てることができるかである。
【００３１】
一例で、（以下で呼と称す）回線交換接続に対してリソースを割り当てることができるかの判定は、少なくとも呼（新規呼またはハンドオーバ呼またはその両方）設定におけるＩＭＳＩ情報に基づく事業者の優先順位付けを含む。詳細には、優先的処理はＴＲＸレベルに至る事業者の優先順位付けに関係する。これが意味するのは、所定の優先順位付けに従い、タイムスロットレベルに至るまで各ＴＲＸを事業者間で共有することができることである。例えば（１つのＲＢＳおよび１つの特定事業者により扱う地理的エリアとしてセルを定義する）１つのセルについて所定の優先順位付けに従い、制御ユニットは各新規呼の事業者を判定する。一例で、事業者の１つはセルへのより高いアクセスの可能性を有する。その事業者はその場合セルにおけるキューイングに予約した割合即ち優先権を有する。例えば制御ユニットが呼を優先順位付けするのは、１社または複数の事業者が、確保した容量の割合を持ち、例えば６０パーセント（または別の選択数）の容量を事業者Ａについて確保することができる。あるいは１社または複数の事業者は最大使用容量を持ち、例えば最大８０パーセント（または別の選択数）の容量を事業者Ａにより使用することを許容し、または最大６０パーセント（若しくは）別の容量数を事業者Ｂにより使用することを許容し、またはその両方を許容する。
【００３２】
あるいは事業者の１つにセルのより高い保持能力を確保する。例えば容量が残っていなければ、ホーム事業者の呼は別の事業者の呼により既に使用しているチャネルを奪うことができる。
【００３３】
さらに別の例で、事業者の１つはセルのより良い完全性を達成する。従ってＨＲ（半速度チャネル）をその場合その事業者はそれほど多くなくか、または全然使用しないであろう。
【００３４】
以上による優先順位付け方式の使用で幾つかの事業者がＢＳＳ装置を共有する場合、ＴＲＸｓの共有を非一様に制御することが可能である。異なる大きさの２つの事業者がＢＳＳ共有の開始を決定するか、または事業者の何れかがあるエリアの主サービス配信会社として残ろうとするか、これは例えば事前要件でありうる。値段付け（共有装置の投資の分担）はその場合非一様さに基づきえよう。
【００３５】
非一様共有はアクセスの可能性、保持の可能性および完全性に使用することができる。
【００３６】
個々のｅＭＬＰＰ（enhanced Multi-Layer Priority and Pre、高度化マルチレイヤ優先権および事前）優先権をＰＬＭＮ優先権の上に適用することができる。ｅＭＰＬＬ優先権はＨＬＲに蓄積する。
【００３７】
以上で考察するように、ＩＭＳＩのＰＬＭＮ情報はまたＢＳＣ３０２によりパケット交換データのスケジューリングに使用することができる。
【００３８】
別の例で、種々の事業者間の接続（例えば呼）の分布はセル間のハンドオーバにおける呼処理に関係し、これを図５および図６に関係してさらに詳細に説明することにする。
【００３９】
図４で、ＩＭＳＩ４４０が含むのは、移動国コード（ＭＣＣ、Mobile Country Code）フィールド４４１、移動ネットワークコード（ＭＮＣ、Mobile Network Code）フィールド４４２および加入者ＩＤ（ＭＳＩＮ）フィールド４４３である。移動国コード（ＭＣＣ）および移動ネットワークコード（ＭＮＣ）は公衆地上移動ネットワーク（ＰＬＭＮ）を形成する。ＩＭＳＩのＭＮＣ部およびＰＬＭＮは事業者を特定する。
【００４０】
図５で、リソース割り当て情報ユニット３０８の接続に対するリソース割り当てテーブル５５０は複数のレコード５５１ａ乃至５５１ｅを含み、各レコードは１つのセルと関連する。一例でテーブルはＢＳＣの各セルおよび前記ＢＳＣに隣接するセルに関係するレコードを含む。レコードが含むのは、セル内加入者のホーム事業者へのリソース割り当てに関する決定および接続をあるセルから別のセルへ移動する場合のハンドオーバの決定を行う情報である。各レコードが含むのは、セルを特定するセル情報フィールド５５２、そのセルのホームＰＬＭＮ（即ちセルのホーム事業者）を特定するホームＰＬＭＮフィールド５５３、セルが関連するＢＳＣを特定するＢＳＣフィールド５５４および以上で説明する優先順位付け方式即ちパケット交換データのスケジューリング情報のための優先順位付け方式フィールド５５５である。
【００４１】
今日、各ＢＳＣは各ＢＳＣがサービスを提供するセルを特定する情報およびまた隣接セルを特定する情報を所有する。さらに各セルは各セルのホームＰＬＭＮに関係する情報を所有する。ＢＳＣはまたセル優先順位付け方式に関係する情報またはパケット交換データスケジューリング情報またはその両方を所有することができる。優先順位付け方式は事業者による選択により指定されている。この説明の簡明さのため、リソース割り当て情報、即ちセル特定情報、セルホーム事業者、責任ＢＳＣおよび優先順位付け方式をテーブル５５０に収集する。しかしながらリソース割り当て情報はテーブルに収集する必要はない。ただ関係があるのはＢＳＣが前記情報を所有することである。
【００４２】
図６にテーブル５５０のセル間地理関係を示す。本明細書でセルＣＯと称するのは、移動ユニットが現に存在するセルであり、隣接セルＣＡ、ＣＢ、ＣＣおよびＣＤへのセルＣＯの可能性のあるハンドオーバを考察するセルである。セルＣＡに近いか、またはセルＣＡにより含む地理的エリアに移動ユニット１３０が所在すれば、セルＣＯにサービスを提供するＢＳＣによりハンドオーバを提案することができる。セルＣＯおよびセルＣＡを持つＢＳＣｓの特定情報に関係するテーブルから情報を取り出す。比較が示すのは、セルＣＯとセルＣＡが同じＢＳＣ、即ちテーブル３０８のＢＳＣＡに属すことである。セルＣＯから隣接セルＣＡへのハンドオーバはこの場合内部と見なし、内部ハンドオーバを許容することができる。しかしながらハンドオーバをとにかく許容することになるかは明らかではない。一例でハンドオーバを受理するのは、移動ユニット１３０の加入者のホームＰＬＭＮ（ホーム事業者）とセルＣＡのホームＰＬＭＮ（ホーム事業者）間の比較が、セルＣＡのホームＰＬＭＮが加入者のホームＰＬＭＮと同じであることを示す場合である。とはいえ他方でセルＣＡのホームＰＬＭＮが加入者のＰＬＭＮと同じでないことを比較が示せば、その場合ハンドオーバの決定は例えばセルＡの負荷共有優先順位に基づきうる。代替例でテーブル５５０のセルＣＡに関連する優先順位付け方式は、許容できるハンドオーバの優先順位付けに使用する。従って、セルＣＡでは、容量（即ち接続）の６０％（または別の選択数）を、ホーム事業者としてＰＬＭＮＢと表す事業者を有する加入者に確保しているという基準に基づいて加入者を許容する。それ故加入者がＰＬＭＮＢ以外のホームＰＬＭＮを持つなら、ハンドオーバを受理することができるのは、ホーム事業者ＰＬＭＮＢに確保されていない残り４０％内で利用可能な容量がある場合のみである。他方加入者がホーム事業者としてＰＬＭＮＢを有すれば、その場合なにがしか利用可能容量があればハンドオーバを受理することができる。
【００４３】
セルＣＢに近いか、またはセルＣＢにより含まれる地理的エリアに移動ユニット１３０があれば、セルＣＯにサービスを提供するＢＳＣによりハンドオーバを提案することができる。セルＣＯおよびセルＣＢを持つＢＳＣｓの特定情報に関係するテーブル５５０からこの場合情報を取り出す。比較が示すのは、セルＣＯとセルＣＢとが異なるＢＳＣに属すことである。セルＣＯから隣接セルＣＢへのハンドオーバはこの場合外部と見なす。以下で説明することにするようにある条件の下においてのみ、外部ハンドオーバを受理することができる。セルＢのホームＰＬＭＮが加入者のＰＬＭＮと同じであることを比較が示せば、その場合ハンドオーバを受理することができる。
【００４４】
テーブル５５０におけるセルＣＢの優先順位付け方式は、一例ではＢＳＣＢと表す受信ＢＳＣに実装する。従ってＢＳＣＢと表す受信ＢＳＣは、加入者（または容量）の最大８０％（または別の選択数）がホームＰＬＭＮＢに属すことを許容し、加入者の最大６０％（または別の選択数）がホームＰＬＭＮＡに属すことを許容するという基準に基づいてセルＣＢの加入者を許容するよう構成される。それ故加入者がホームＰＬＭＮとしてＰＬＭＮＢを持つ場合には、ホーム事業者としてＰＬＭＮＢを有する加入者に８０％未満のセル容量を現在割り当てられ、容量が利用可能であれば、接続をハンドオーバすることができる。さらに加入者がホームＰＬＭＮとしてＰＬＭＮＡを持つ場合には、ホーム事業者としてＰＬＭＮＡを有する加入者に６０％より少ないセル容量を現在割り当て、容量がセルＢ内でなお利用可能であれば、接続をハンドオーバすることができる。
【００４５】
（メモリ３０５から取得する）移動ユニット１３０の加入者ホームＰＬＭＮとセルＣＢホームＰＬＭＮ間の比較が、セルＣＢホームＰＬＭＮが加入者ＰＬＭＮと同じでないことを示せば、セルＣＯとセルＣＢ間のハンドオーバを受理しないであろう。しかしながらセルＣＣに近いか、またはセルＣＣにより含む地理的エリアに移動ユニット１３０が所在し、セルＣＣがセルＣＯとは別の基地局コントローラ（即ちＢＳＣＢ）に属すが、移動ユニットに関連する加入者と同じ事業者に属せば、ＢＳＣＢと表す受信ＢＳＣが移動ユニットの義務を引き受ける仮定の下に、その移動ユニットの義務をセルＣＣに強いることができる。そこからセルＣＢおよびセルＣＣにサービスを提供する新しい基地局コントローラＢＳＣＢの制御の下で、次いでセルＣＣからセルＣＢへ接続を内部でハンドオーバすることができる。
【００４６】
セルＣＤに近いか、またはセルＣＤにより含む地理的エリアに移動ユニット１３０が所在すれば、サービス提供セルＣＯによりハンドオーバを提案することができる。図５のテーブルで、セルＣＣの優先順位付け方式は保持の可能性に基づく。従ってセルＣＣのホーム事業者ＰＬＭＮＡは他事業者からチャネルを奪う優先権を有する。セルＣＯおよびセルＣＤを持つＢＳＣｓの特定情報に関係するテーブル５５０から情報を取り出す。比較が示すのは、セルＣＯとセルＣＤが同じＢＳＣ、即ちテーブル５５０のＢＳＣＡに属すことである。セルＣＯから隣接セルＣＤへのハンドオーバはこの場合内部と見なし、内部ハンドオーバを許容することができる。テーブル５５０の優先順位付け方式は一例では許容することができるハンドオーバの優先順位付けに使用される。従って加入者をセルＣＤで完全性基準に基づき許容する。それ故例えば呼形式の接続が事業者Ａに属せば、接続は良好な通話品質／完全性を持つＦＲ（Full Rate、最大速度）チャネルを得ることになり、さもなければそれほど良好でない通話品質／完全性を持つＨＲ（Half Rate、半速度）チャネルを得ることになる。なにがしか利用可能容量があればハンドオーバを受理することができる。それゆえ例えばパケット交換接続形式の接続が事業者Ａに属せば、パケット交換接続が別事業者に属す場合に比し、接続はより高度に保証するビット速度を得ることになる。なにがしか利用可能容量があればハンドオーバを受理することができる。
【００４７】
図７で、ＧＳＭネットワークのリソース割り当て方法は一般にＩＭＳＩ情報に基づくセルにおける接続に対するリソース割り当てを含む。図の例でリソース割り当てを評価するのは、加入者に関連する新規接続設定を要求し、加入者に関連するハンドオーバ接続設定を別のセルから要求する場合である。詳細には本方法が含むのは、別のセルからのハンドオーバまたは新規接続設定の何れかにより接続設定を要求する場合の検出ステップ７６１である。次のステップ７６２でＢＳＣにおいて既に利用可能でなければ、問題のセルにサービスを提供する基地局コントローラは接続設定を要求する加入者のＩＭＳＩ情報を要求する。ＩＭＳＩを次いで評価ステップ７６３で使用し、接続設定リソースが割り当て可能であるかを評価する。リソースが割り当て可能であれば、割り当てステップ７６４でこれを行う。記憶済みでなければ、新規加入者のＩＭＳＩレコードを次いで記憶ステップ７６５で基地局コントローラにより記憶する。従ってＢＳＣにより扱う全セルのセル内の全接続（新規接続およびハンドオーバ接続）に関するＩＭＳＩを記録する。ＭＳＣがＩＭＳＩを自動的に送信する例では、要求ステップ７６２を省略することができる。
【００４８】
図８で接続が終了した場合、ＩＭＳＩレコードを削除する。それによりセル内の現に設定された接続のＩＭＳＩレコードのみをＢＳＣにより保持する。詳細には接続が終了したかを、検出ステップ８７１で基地局コントローラが検出し、検出ステップ８７２で前記接続に関係するレコードを削除する。
【００４９】
図９で、ＧＳＭネットワークの別セルへのハンドオーバ要求におけるリソース割り当て手順を説明する。一般に新規セルにおける接続に対するリソース割り当てはＩＭＳＩに基づくハンドオーバの決定を行うステップを含む。詳細には別セルへのハンドオーバ要求は検出ステップ９８１で検出する。ハンドオーバ要求を検出すると、意図するハンドオーバが同じ基地局コントローラに関連する２つのセル間であるか、または異なる基地局コントローラに関連する２つのセル間であるかを、次のステップ９８２で判断する。意図するハンドオーバが同じ基地局コントローラに関連する２つのセル間であれば、その場合内部ハンドオーバを要求する。他方意図するハンドオーバが異なる基地局コントローラに関連する２つのセル間であれば、その場合外部ハンドオーバを要求する。内部ハンドオーバを要求し、新規セルで容量が利用可能であれば、新規セルの接続にリソースを割り当てることができる。容量が利用可能であるかの判断を実行するのは、例えば以上で説明する優先順位付け方式に基づく新規セルによる。接続の優先順位付けは例えばアクセスの可能性、保持の可能性または完全性またはその両方に基づく。容量が新規セルで利用可能であれば、ハンドオーバステップ９８５で接続をハンドオーバする。接続をハンドオーバしたセルに関係するＩＭＳＩレコードは削除ステップ９８６で削除する。ハンドオーバが外部であると判断し、ハンドオーバを要求する（ステップ９８３）接続に関連するＩＭＳＩ情報により与える事業者と受信セルのホームＰＬＭＮが異なれば、その場合拒否ステップ９８４でハンドオーバを拒否する。他方ハンドオーバを要求する接続に関連するＩＭＳＩ情報により与えるのと同じホームＰＬＭＮを有する隣接セルへの外部ハンドオーバを要求することをステップ９８３で判断すれば、その場合ハンドオーバステップ９８５でハンドオーバを実行することができる。とはいえ一例で新規セルにおいて容量が利用可能であれば、新規セルにおける接続にリソースを割り当てる。容量が利用可能であるかの判断を実行するのは、例えば以上で説明する優先順位付け方式に基づく新規セルによる。接続の優先順位付けは例えばアクセスの可能性、保持の可能性または完全性またはその両方に基づく。新規セルで容量が利用可能であり、接続をハンドオーバすれば、その場合接続をハンドオーバしたセルに関係するＩＭＳＩレコードは削除ステップ９８６で削除する。
【００５０】
以上の説明はＧＳＭネットワークにおけるリソース割り当てに適合する。しかしながら本明細書で説明するようにリソース割り当て方法はまた他移動通信ネットワークにおいても適用可能である。
【図１】
2011517148.tif 000003
【図２】
2011517148.tif 000004
【図３】
2011517148.tif 000005
【図４】
2011517148.tif 000006
【図５】
2011517148.tif 000007
【図６】
2011517148.tif 000008
【図７】
2011517148.tif 000009
【図８】
2011517148.tif 000010
【図９】
2011517148.tif 000011
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
移動通信ネットワーク（１００）の制御ノード（１０２；３０２）であって、
少なくとも幾つかの現に設定された接続に関するＩＭＳＩ情報を提供する手段（３０５、３０６、３０７）と、
前記ＩＭＳＩ情報に基づき前記接続に対してリソースを割り当てる手段（３０６、３０８）と
を有し、
前記接続に対するリソース割り当て手段がセル間のハンドオーバの決定手段（３０６、３０８）を含み、前記ハンドオーバの決定が前記ＩＭＳＩ情報に基づくことを特徴とする制御ノード（１０２；３０２）。
【請求項２】
前記制御ノードにより扱うセル内で新規接続を設定する場合、前記ＩＭＳＩ情報を受信することを特徴とする請求項１に記載の制御ノード（１０２；３０２）。
【請求項３】
基地局コントローラ間ハンドオーバに関連する前記ＩＭＳＩ情報を受信することを特徴とする請求項１乃至請求項２の何れか一項に記載の制御ノード（１０２；３０２）。
【請求項４】
前記ＩＭＳＩ情報を要求し、前記要求に応じて前記ＩＭＳＩ情報を受信することを特徴とする請求項２または請求項３に記載の制御ノード。
【請求項５】
回線交換呼のためのＡインタフェースにより前記ＩＭＳＩ情報を要求または受信またはその両方をすることを特徴とする請求項１乃至請求項４の何れか一項に記載の制御ノード。
【請求項６】
共通ＩＤと表す前記Ａインタフェースメッセージに前記ＩＭＳＩ情報を含むことを特徴とする請求項４に記載の制御ノード。
【請求項７】
パケット交換データのためのＧｂインタフェースにより前記ＩＭＳＩ情報を要求または受信またはその両方をすることを特徴とする請求項１乃至請求項４の何れか一項に記載の制御ノード。
【請求項８】
前記ＩＭＳＩ情報のＰＬＭＮ部に基づき前記接続に対してリソースを割り当てることを特徴とする請求項１乃至請求項７の何れか一項に記載の制御ノード。
【請求項９】
前記ＩＭＳＩ情報のＭＮＣ部に基づき前記接続に対してリソースを割り当てることを特徴とする請求項８に記載の制御ノード。
【請求項１０】
ハンドオーバが前記制御ノードにより扱うセルの内部であるか、または別の制御ノードにより扱うセルの外部であるかを、前記ハンドオーバの決定手段（３０６、３０８）が判断することを特徴とする請求項１に記載の制御ノード。
【請求項１１】
前記ＩＭＳＩにより指示するものとは別のホームＰＬＭＮｓに関連するセルへの外部ハンドオーバを、前記ハンドオーバの決定手段（３０６、３０８）が拒否することを特徴とする請求項１０に記載の制御ノード。
【請求項１２】
前記接続に対するリソース割り当て手段が前記セルに関連する方式に従い接続を優先順位付けする優先権処理手段を含むことを特徴とする請求項１乃至請求項１１の何れか一項に記載の制御ノード。
【請求項１３】
前記優先権処理手段が、前記優先順位付け方式に基づき、かつ前記ＩＭＳＩ情報に基づき、非一様ＴＲＸ共有を提供することを特徴とする請求項１２に記載の制御ノード。
【請求項１４】
前記制御ノードがＧＳＭネットワークの基地局コントローラであることを特徴とする請求項１乃至請求項１３の何れか一項に記載の制御ノード。
【請求項１５】
移動通信ネットワーク（１００）の基地局サブシステム（１１０）であって、前記基地局サブシステム（１１０）が請求項１乃至１４のいずれか一項に記載の制御ノード（１０２；３０２）を含むことを特徴とする基地局サブシステム（１１０）。
【請求項１６】
請求項１乃至１４のいずれか一項に記載の制御ノード（１０２；３０２）と交換ノード（１１１）とを含む移動通信ネットワーク（１００）であって、
前記交換ノード（１１１）が少なくとも幾つかの現に設定された回線交換接続に関するＩＭＳＩ情報を前記制御ノードに送信し、
前記制御ノードが前記ＩＭＳＩ情報を受信し、前記ＩＭＳＩ情報に基づき前記回線交換接続に対してリソースを割り当てることを特徴とする移動通信ネットワーク（１００）。
【請求項１７】
新規回線交換接続を設定する場合、前記制御ノード（１１１）が前記ＩＭＳＩ情報を送信することを特徴とする請求項１６に記載の移動通信ネットワーク。
【請求項１８】
前記交換ノード（１１１）が制御ノード間ハンドオーバにおいて前記ＩＭＳＩ情報を送信することを特徴とする請求項１６または請求項１７に記載の移動通信ネットワーク。
【請求項１９】
前記制御ノード（１０２；３０２）が前記ＩＭＳＩ情報を要求し、
前記交換ノード（１１１）が前記要求に応じて前記ＩＭＳＩ情報を送信することを特徴とする請求項１７または請求項１８に記載の移動通信ネットワーク。
【請求項２０】
前記交換ノード（１１１）が前記ＡインタフェースによりＩＭＳＩ情報を送信する、または前記制御ノードが前記Ａインタフェースにより前記ＩＭＳＩ情報を要求する、またはその両方が行われることを特徴とする請求項１６乃至請求項１９の何れか一項に記載の移動通信ネットワーク。
【請求項２１】
前記移動通信ネットワークがＧＳＭネットワークであることを特徴とする請求項１６乃至請求項２０の何れか一項に記載の移動通信ネットワーク。
【請求項２２】
前記移動通信ネットワークが少なくとも１つのサービス提供ＧＰＲＳサポートノード（１９１）を有するＧＰＲＳコアネットワーク（１９０）をさらに含み、
前記少なくとも１つのサービス提供ＧＰＲＳサポートノード（１９１）が少なくとも幾つかの前記現設定パケット交換接続に関するＩＭＳＩ情報を前記制御ノードに送信し、
前記制御ノードが前記ＩＭＳＩ情報を受信し、前記ＩＭＳＩ情報に基づき前記パケット交換接続に対してリソースを割り当てることを特徴とする請求項１６に記載の移動通信ネットワーク。
【請求項２３】
移動通信ネットワークにおける接続に対するリソース割り当て方法であって、
前記移動通信ネットワークの制御ノードに前記接続に関するＩＭＳＩ情報を提供するステップ（７６２）と、
ＩＭＳＩ情報に基づいてセルにおける前記接続に対してリソースを割り当てるステップ（７６４）とを有し、
前記接続に対してリソースを割り当てるステップが、前記ＩＭＳＩ情報に基づくハンドオーバの決定ステップ（９８１、９８２、９８３）を含むことを特徴とする移動通信ネットワークにおける接続に対するリソース割り当て方法。
【請求項２４】
前記ハンドオーバの決定ステップが、
意図するハンドオーバが同じ制御ノードに関連する２つのセル間であるか、または異なる制御ノードに関連する２つのセル間であるかを判断するステップ（９８２）と、
前記受信セルのホームＰＬＭＮが前記ＩＭＳＩ情報により与えられる事業者と異なれば、異なる制御ノードに関連するセル間のハンドオーバを拒否するステップ（９８４）と
を含むことを特徴とする請求項２３に記載の移動通信ネットワークにおける接続に対するリソース割り当て方法。
【請求項２５】
前記接続に対するリソース割り当てステップが所定の優先順位付け方式に従う優先順位付けステップを含むことを特徴とする請求項２３または２４に記載の移動通信ネットワークにおける接続に対するリソース割り当て方法。
【請求項２６】
前記接続優先順位付けが、アクセスの可能性、保持の可能性または完全性に基づくことを特徴とする請求項２５に記載の移動通信ネットワークにおける接続に対するリソース割り当て方法。
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
移動通信ネットワーク（１００）の制御ノード（１０２；３０２）であって、
少なくとも幾つかの現に設定された接続に関するＩＭＳＩ情報を提供する手段（３０５、３０６、３０７）と、
前記ＩＭＳＩ情報に基づき前記接続に対してリソースを割り当てる手段（３０６、３０８）と
を有し、
前記接続に対するリソース割り当て手段がセル間のハンドオーバの決定手段（３０６、３０８）を含み、前記ハンドオーバの決定が前記ＩＭＳＩ情報に基づくことを特徴とする制御ノード（１０２；３０２）。
【請求項２】
前記制御ノードにより扱うセル内で新規接続を設定する場合、前記ＩＭＳＩ情報を受信することを特徴とする請求項１に記載の制御ノード（１０２；３０２）。
【請求項３】
基地局コントローラ間ハンドオーバに関連する前記ＩＭＳＩ情報を受信することを特徴とする請求項１乃至請求項２の何れか一項に記載の制御ノード（１０２；３０２）。
【請求項４】
前記ＩＭＳＩ情報を要求し、前記要求に応じて前記ＩＭＳＩ情報を受信することを特徴とする請求項２または請求項３に記載の制御ノード。
【請求項５】
パケット交換データのためのＧｂインタフェースにより前記ＩＭＳＩ情報を要求または受信またはその両方をすることを特徴とする請求項１乃至請求項４の何れか一項に記載の制御ノード。
【請求項６】
前記ＩＭＳＩ情報のＰＬＭＮ部に基づき前記接続に対してリソースを割り当てることを特徴とする請求項１乃至請求項５の何れか一項に記載の制御ノード。
【請求項７】
ハンドオーバが前記制御ノードにより扱うセルの内部であるか、または別の制御ノードにより扱うセルの外部であるかを、前記ハンドオーバの決定手段（３０６、３０８）が判断することを特徴とする請求項１に記載の制御ノード。
【請求項８】
前記接続に対するリソース割り当て手段が前記セルに関連する方式に従い接続を優先順位付けする優先権処理手段を含むことを特徴とする請求項１乃至請求項７の何れか一項に記載の制御ノード。
【請求項９】
請求項１乃至８のいずれか一項に記載の制御ノード（１０２；３０２）と交換ノード（１１１）とを含む移動通信ネットワーク（１００）であって、
前記交換ノード（１１１）が少なくとも幾つかの現に設定された回線交換接続に関するＩＭＳＩ情報を前記制御ノードに送信し、
前記制御ノードが前記ＩＭＳＩ情報を受信し、前記ＩＭＳＩ情報に基づき前記回線交換接続に対してリソースを割り当てることを特徴とする移動通信ネットワーク（１００）。
【請求項１０】
新規回線交換接続を設定する場合、前記制御ノード（１１１）が前記ＩＭＳＩ情報を送信することを特徴とする請求項９に記載の移動通信ネットワーク。
【請求項１１】
前記交換ノード（１１１）が制御ノード間ハンドオーバにおいて前記ＩＭＳＩ情報を送信することを特徴とする請求項９または請求項１０に記載の移動通信ネットワーク。
【請求項１２】
前記制御ノード（１０２；３０２）が前記ＩＭＳＩ情報を要求し、
前記交換ノード（１１１）が前記要求に応じて前記ＩＭＳＩ情報を送信することを特徴とする請求項１０または請求項１１に記載の移動通信ネットワーク。
【請求項１３】
前記移動通信ネットワークが少なくとも１つのサービス提供ＧＰＲＳサポートノード（１９１）を有するＧＰＲＳコアネットワーク（１９０）をさらに含み、
前記少なくとも１つのサービス提供ＧＰＲＳサポートノード（１９１）が少なくとも幾つかの前記現設定パケット交換接続に関するＩＭＳＩ情報を前記制御ノードに送信し、
前記制御ノードが前記ＩＭＳＩ情報を受信し、前記ＩＭＳＩ情報に基づき前記パケット交換接続に対してリソースを割り当てることを特徴とする請求項９に記載の移動通信ネットワーク。
【請求項１４】
移動通信ネットワークにおける接続に対するリソース割り当て方法であって、
前記移動通信ネットワークの制御ノードに前記接続に関するＩＭＳＩ情報を提供するステップ（７６２）と、
ＩＭＳＩ情報に基づいてセルにおける前記接続に対してリソースを割り当てるステップ（７６４）とを有し、
前記接続に対してリソースを割り当てるステップが、前記ＩＭＳＩ情報に基づくハンドオーバの決定ステップ（９８１、９８２、９８３）を含むことを特徴とする移動通信ネットワークにおける接続に対するリソース割り当て方法。
【請求項１５】
前記ハンドオーバの決定ステップが、
意図するハンドオーバが同じ制御ノードに関連する２つのセル間であるか、または異なる制御ノードに関連する２つのセル間であるかを判断するステップ（９８２）と、
前記受信セルのホームＰＬＭＮが前記ＩＭＳＩ情報により与えられる事業者と異なれば、異なる制御ノードに関連するセル間のハンドオーバを拒否するステップ（９８４）と
を含むことを特徴とする請求項１４に記載の移動通信ネットワークにおける接続に対するリソース割り当て方法。
【請求項１６】
前記接続に対するリソース割り当てステップが所定の優先順位付け方式に従う優先順位付けステップを含むことを特徴とする請求項１４または１５に記載の移動通信ネットワークにおける接続に対するリソース割り当て方法。
【国際調査報告】
2011517148.tif 000012
2011517148.tif 000013
2011517148.tif 000014
2011517148.tif 000015